(57)【特許請求の範囲】
【請求項１】
複数の内線電話が接続されると共に外線トランクを介して外線回線に接続される通話路網を含む構内交換装置において、
前記通話路網には、中央制御装置を介して記憶装置が接続され、該記憶装置には、発信者番号対応の内線電話収容位置情報格納用の記憶領域および内線電話収容位置対応に格納される着信転送先情報格納用の記憶領域を有し、前記中央制御装置は、前記記憶装置の前記記憶領域の着信転送先情報に基づき呼出音を前記外線トランクに接続することを特徴とする構内交換装置。
【請求項２】
着信転送登録を識別した場合には、外線回線からの着信時に受信する発信者番号情報より、該当する内線電話を特定し、着信転送先として受信した発信者番号情報を登録することを特徴とする請求項１に記載の構内交換装置。
【請求項３】
着信転送解除を識別した場合には、外線回線からの着信時に受信する発信者番号情報より、該当する内線電話を特定し、着信転送先の解除を行うことを特徴とする請求項１に記載の構内交換装置。
【発明の詳細な説明】
【０００１】
【発明の属する技術分野】
本発明は構内交換装置（ＰＢＸ）、特に着信転送登録機能を備える構内交換装置に関する。
【０００２】
【従来の技術】
従来、この種の構内交換装置における着信転送先登録方式においては、例えば特開平３−８５８５５号公報の「局間着信転送登録方式」に開示されている。この従来技術では、複数の交換装置で構成される交換網において、第１内線電話より、異なる交換装置に収容された第２内線電話に対し着信転送登録を実施する場合には、第１内線電話からの着信転送登録特番と第２内線電話の番号操作にて、着信転送登録の接続であることを相手交換装置へ通知する識別番号と、着信転送登録を行う相手内線電話を指定する第２内線電話の番号および着信転送先である第１内線電話の番号を局間で通知することにより、着信交換装置にて第２内線電話の着信転送先情報を第１内線電話の番号とすることを可能としている。
【０００３】
【発明が解決しようとする課題】
しかし、上述した従来技術においては、複数の交換装置間で着信転送登録を認識する識別番号を予め定義する必要があった。特に、一般公衆網からの着信転送登録については対応することができないという課題があった。
【０００４】
【発明の目的】
従って、本発明の目的は、発信者番号が認識可能な信号方式を制御できる外線において、着信番号により着信転送登録サービスを識別し、受信した発信者番号情報より着信転送登録内線電話を特定し、着信転送先として受信した発信者番号を登録することを可能とする。これにより、着信転送登録操作が、一般公衆電話網や、特殊な機能を具備してない交換装置に収容された内線電話からも実施可能とする構内交換装置を提供することである。
【０００５】
【課題を解決するための手段】
本発明の構内交換装置は、複数の内線電話が接続されると共に外線トランクを介して外線回線に接続される通話路網を含む装置であって、通話路網には、中央制御装置を介して記憶装置が接続され、この記憶装置には、発信者番号対応の内線電話収容位置情報格納用の記憶領域および内線電話収容位置対応に格納される着信転送先情報格納用の記憶領域を有し、中央制御装置は、記憶装置の記憶領域の着信転送先情報に基づき呼出音を前記外線トランクに接続する。
【０００６】
着信転送登録を識別した場合には、外線回線からの着信時に受信する発信者番号情報により該当する内線番号を特定し、着信転送先として受信した発信者番号情報を登録する。また、着信転送解除を識別した場合には、外線回線からの着信時に受信する登録者番号情報より、該当する内線番号を特定し、着信転送先の解除を行う。
【０００７】
【発明の実施の形態】
以下、本発明による構内交換装置の好適実施形態例の構成および動作を、添付図を参照して詳細に説明する。
【０００８】
先ず、図１は、本発明による構内交換装置の好適実施形態例の基本構成を示すブロック図である。この構内交換装置は、複数の内線電話１ａ乃至１ｎと、着信時に発信者番号情報を認識できる信号方式を制御できる外線トランク２を収容する通話路網３と、この通話路網３に接続された中央制御装置４と、この中央制御装置４に接続された記憶装置５とにより構成されている。
【０００９】
記憶装置５は、図２に示す如き記憶領域Ｍ１と、図３に示す如き記憶領域Ｍ２との２つの記憶領域を備えている。記憶領域Ｍ１には、発信者番号対応の内線電話の収容位置情報が格納されている。一方、記憶領域Ｍ２には、内線電話の収容位置情報に対応して着信転送先情報が格納されている。
【００１０】
次に、外線からの着信転送登録および削除を例に、図４および図５に示すフローチャートを参照して本発明の構内交換装置の動作を説明する。利用者が、外線より予め決められた着信転送登録特番を操作する。操作する番号は、一般公衆網からの場合には、着信番号が認識できるダイヤルイン方式又は追加ダイヤルイン方式によるものとする。複数の交換装置で構成される交換網においては、交換装置を認識する局番号と着信転送登録特番となる。中央制御装置４は、外線トランク２より着信番号を受信すると、受信した着信番号と着信転送情報登録特番を比較する(ステップ１００)。次に、この着信番号が着信転送登録特番か否かを調べる（ステップ１０１）。
【００１１】
ステップ１０１において、着信番号が着信転送登録特番であるとされた場合には、外線トランク２の受信情報より発信者番号情報が付加されてきているか否かを調べる（ステップ１０２）。発信者番号情報が付加されている場合には、記憶領域Ｍ１に格納されている発信者番号情報対応の内線電話収容位置を検索する（ステップ１０３）。次に、この検索結果をチェックする（ステップ１０４）。予め記憶領域Ｍ１に発信番号情報に対応する内線電話収容位置が登録されている場合には、記憶領域Ｍ２の内線電話収容位置対応に持つ着信転送先情報に発信者番号情報を書き込む（ステップ１０５）。そして、呼出音を外線トランク２に接続する（ステップ１０６）。
【００１２】
一方、上述したステップ１０４の検索結果、記憶領域Ｍ１に発信番号情報対応の内線電話収容位置が未登録の場合には、外線トランク２に対し規制音を接続する（ステップ１０７）。
【００１３】
次に、図５のフローチャートを参照して説明する。外線トランク２より着信番号を受信すると、中央制御装置４は、受信した着信信号と着信転送情報削除特番を比較する（ステップ２００）。そして、着信番号が着信転送解除特番か否かを調べる（ステップ２０１）。着信番号が着信転送解除特番の場合には、外線トランク２の受信情報より発信者番号情報が付加されてきているか調べる（ステップ２０２）。発信者番号情報が付加されている場合には、記憶領域Ｍ１に格納されている発信者番号情報対応の内線電話収容位置を検索する（ステップ２０３）。そして、この検索の結果をチェックする（ステップ２０４）。予め記憶領域Ｍ１に発信番号情報対応に内線電話収容位置が登録されている場合には、記憶領域Ｍ２の内線電話収容位置対応に持つ着信転送先情報のクリア(削除)を行う（ステップ２０５）。そして、呼出音を外線トランク２に接続する（ステップ２０６）。一方、ステップ２０４の検索の結果、記憶領域Ｍ１に発信番号情報対応の内線電話収容位置が未登録の場合には、外線トランク２に対し規制音を接続する（ステップ２０７）。
【００１４】
以上、本発明による構内交換装置の好適実施形態例の構成および動作を詳細に説明した。しかし、これは本発明の単なる例示に過ぎず、何ら本発明を限定するものではないことに注意されたい。本発明の要旨を逸脱することなく種々の変形変更が可能であること、当業者には容易に理解できよう。
【００１５】
【発明の効果】
上述の説明から明らかな如く、本発明の構内交換装置によれば、発信者番号情報を認識できる外線回線において、着信番号により着信転送登録サービスを識別し、受信した発信者番号情報より着信転送登録内線電話を特定することにより、着信番号が着信転送登録の場合には、着信転送先として発信者番号情報を登録し、着信番号が着信転送解除の場合には、着信転送の解除を行うことにより、一般公衆電話網や特殊な機能を具備していない交換装置に収容された内線電話からも着信転送の登録が行えるという実用上の顕著な効果を有する。
【図面の簡単な説明】
【図１】図１は本発明による構内交換装置の好適実施形態例の基本構成を示すブロック図である。
【図２】図２は図１の構内交換装置を構成する記憶装置にて、発信者番号対応の内線電話収容位置が格納される記憶領域を示す概念図である。
【図３】図３は図１の構内交換装置を構成する記憶装置にて、内線電話収容位置対応の着信転送先が格納される記憶領域を示す概念図である。
【図４】図４は図１の構内交換装置における着信転送登録動作を示すフローチャートである。
【図５】図５は図１の構内交換装置における着信転送解除動作を示すフローチャートである。
【符号の説明】
１ａ乃至１ｎ    内線電話
２              外線トランク
３              通話路網
４              中央制御装置
５              記憶装置
Ｍ１、Ｍ２      記憶装置における記憶領域
【図１】
0003686804.tif 000002
【図２】
0003686804.tif 000003
【図３】
0003686804.tif 000004
【図４】
0003686804.tif 000005
【図５】
0003686804.tif 000006